(57)【要約】【課題】自立可能であるとともに、パネルの着脱性を高めることができるパーティションを提供する。【解決手段】本パーティションは、複数のパネル３が着脱可能に取り付けられるパーティション１であって、湾曲状の土台４と、土台から立ち上がる本体部５と、を備える。そして、複数のパネルのそれぞれには、係合部１６が備えられ、本体部には、本体部の立ち上がり方向と交差する前後方向Ｐから係合部が係合可能な被係合部１７が備えられ、係合部が被係合部に係合することで本体部に対してパネルが着脱可能に取り付けられる。【選択図】図１
2015021234.tif 000002
【特許請求の範囲】
【請求項１】
複数のパネルが着脱可能に取り付けられるパーティションであって、
湾曲状の土台と、該土台から立ち上がる本体部と、を備え、
前記複数のパネルのそれぞれには、係合部が備えられ、前記本体部には、該本体部の立ち上がり方向と交差する前後方向から前記係合部が係合可能な被係合部が備えられ、前記係合部が前記被係合部に係合することで前記本体部に対して前記パネルが着脱可能に取り付けられることを特徴とするパーティション。
【請求項２】
前記係合部及び前記被係合部のうちの一方は、前記前後方向に延びる溝部であり、他方は、該溝部に挿通可能な凸部であり、前記溝部の延設方向の略中央部には、前記凸部が嵌り込み可能な下方に凹む凹部が設けられている請求項１記載のパーティション。
【請求項３】
前記パネルは、繊維成形体と、該繊維成形体の表面を覆う表皮材と、を備え、該表皮材には、部分的にオパール加工が施されている請求項１又は２に記載のパーティション。
【発明の詳細な説明】
【技術分野】
【０００１】
本発明は、パーティションに関し、さらに詳しくは、自立可能であるとともに、パネルの着脱性を高めることができるパーティションに関する。
【背景技術】
【０００２】
従来のパーティションとして、複数のパネルが着脱可能に取り付けられるものが一般に知られている（例えば、特許文献１参照）。この特許文献１には、パーティションは、床面に固定された床レールと天井面に固定された天井レールとの間に支持されることが開示されている。さらに、パーティションの本体部の前面に形成されたスリットにＬ型受金具が取り付けられ、この受金具にパネルの上縁裏部の垂直片が上方から係止されることが開示されている。
【先行技術文献】
【特許文献】
【０００３】
【特許文献１】実開平０２−８９１１２号公報
【発明の概要】
【発明が解決しようとする課題】
【０００４】
しかし、上記特許文献１の技術では、パーティションは、床面に固定された床レールと天井面に固定された天井レールとの間に支持されているので、パーティションが自立不能とされている。その結果、パーティションの設置場所が限定されてしまう。また、パーティションを移動させる際には、床面や天井面からレールを取り外して再度取り付ける必要があり、手間がかかる。さらに、上記特許文献１の技術では、パーティションの本体部の前面の受金具にパネルの上縁部が上方から係止されているので、パネルは、パーティションの前後方向の片側からのみ着脱可能とされており、パネルの着脱性が低い。
【０００５】
本発明は、上記現状に鑑みてなされたものであり、自立可能であるとともに、パネルの着脱性を高めることができるパーティションを提供することを目的とする。
【課題を解決するための手段】
【０００６】
上記問題を解決するために、請求項１に記載の発明は、複数のパネルが着脱可能に取り付けられるパーティションであって、湾曲状の土台と、該土台から立ち上がる本体部と、を備え、前記複数のパネルのそれぞれには、係合部が備えられ、前記本体部には、該本体部の立ち上がり方向と交差する前後方向から前記係合部が係合可能な被係合部が備えられ、前記係合部が前記被係合部に係合することで前記本体部に対して前記パネルが着脱可能に取り付けられることを要旨とする。
請求項２に記載の発明は、請求項１記載において、前記係合部及び前記被係合部のうちの一方は、前記前後方向に延びる溝部であり、他方は、該溝部に挿通可能な凸部であり、前記溝部の延設方向の略中央部には、前記凸部が嵌り込み可能な下方に凹む凹部が設けられていることを要旨とする。
請求項３に記載の発明は、請求項１又は２記載において、前記パネルは、繊維成形体と、該繊維成形体の表面を覆う表皮材と、を備え、該表皮材には、部分的にオパール加工が施されていることを要旨とする。
【発明の効果】
【０００７】
本発明のパーティションによると、湾曲状の土台と、土台から立ち上がる本体部と、を備える。これにより、パーティションを自立可能とすることができる。その結果、パーティションの設置場所に制限がなく又は少なく、またパーティションを容易に移動させて設置することができる。さらに、複数のパーティションを湾曲状の各土台の端部が連結するように配置することで、必要に応じて様々なバリエーションで自由に空間を仕切ることができる。さらに、複数のパネルのそれぞれには、係合部が備えられ、本体部には、本体部の立ち上がり方向と交差する前後方向から係合部が係合可能な被係合部が備えられ、係合部が被係合部に係合することで本体部に対してパネルが着脱可能に取り付けられる。これにより、パーティションの前後方向の両側からパネルを取り付けたり、取り外したりすることができる。よって、パネルの着脱性が高められる。
また、前記係合部及び前記被係合部のうちの一方が、前記前後方向に延びる溝部であり、他方が、該溝部に挿通可能な凸部であり、前記溝部の延設方向の略中央部には、前記凸部が嵌り込み可能な下方に凹む凹部が設けられている場合は、比較的簡易な構造の係合部及び被係合部により本体部に対してパネルを容易に着脱できる。さらに、パネルの取付位置や表裏面を入れ替えて自由に取り付けることができる。よって、パーティションの意匠性が高められる。
さらに、前記パネルが、繊維成形体と、該繊維成形体の表面を覆う表皮材と、を備え、該表皮材に、部分的にオパール加工が施されている場合は、オパール加工により表皮材に繊維成形体が透けて見える薄肉部を形成することができる。よって、パーティションの意匠性が更に高められる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るパーティションの斜視図である。
【図２】上記パーティションの正面図である。
【図３】図２のＩＩＩ−ＩＩＩ線断面図である。
【図４】実施例に係るパネル及び支柱の斜視図である。
【図５】上記パネルの要部横断面図である。
【図６】上記パネルの着脱作用を説明するための説明図である。
【図７】上記パーティションの作用説明図であり、（ａ）は、全てのパネルが表面を向いた状態を示し、（ｂ）は、一部のパネルの取付位置や表裏面の向きを変更して取り付ける途中の状態を示し、（ｃ）は、一部のパネルの取付位置や表裏面の向きを変更して取り付けた状態を示す。
【図８】複数の上記パーティションの配置形態を説明するための説明図であり、（ａ）は、略波状となる配置形態を示し、（ｂ）は、略Ｓ字状となる配置形態を示す。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
＜パーティション＞
本実施形態に係るパーティションは、複数のパネル（３）が着脱可能に取り付けられるパーティション（１）であって、湾曲状の土台（４）と、土台から立ち上がる本体部（５）と、を備える（例えば、図１等参照）。そして、複数のパネルのそれぞれには、係合部（１６）が備えられ、本体部には、本体部の立ち上がり方向と交差する前後方向（Ｐ）から係合部が係合可能な被係合部（１７）が備えられ、係合部が被係合部に係合することで本体部に対してパネルが着脱可能に取り付けられる（例えば、図４等参照）。
【００１１】
本実施形態に係るパーティションとしては、例えば、上記係合部及び被係合部のうちの一方は、前後方向（Ｐ）に延びる溝部（１７）であり、他方は、溝部に挿通可能な凸部（１６）であり、溝部の延設方向の略中央部には、凸部が嵌り込み可能な下方に凹む凹部（１８）が設けられている形態（例えば、図６等参照）を挙げることができる。
【００１２】
本実施形態に係るパーティションとしては、例えば、上記パネル（３）は、繊維成形体（１３）と、繊維成形体の表面を覆う表皮材（１４）と、を備え、表皮材には、部分的にオパール加工が施されている形態（例えば、図５等参照）を挙げることができる。
【００１３】
なお、上記実施形態で記載した各構成の括弧内の符号は、後述する実施例に記載の具体的構成との対応関係を示すものである。
【実施例】
【００１４】
以下、図面を用いて実施例により本発明を具体的に説明する。
【００１５】
（１）パーティションの構成
本実施例に係るパーティション１（「間仕切り」とも称される。）は、図１〜図３に示すように、複数のパネル３が着脱可能に取り付けられるものである。このパーティション１は、円弧状の土台４と、この土台４から立ち上がる本体部５と、を備えている。この土台４は、上方から見下ろした平面視で所定の角度範囲（例えば、略１２０度）の円弧状に形成されている。また、土台４は、互いに対向する円弧状の上面部４ａ及び下面部４ｂと、これら上面部４ａ及び下面部４ｂの前縁側を繋ぐ前面部４ｃと、を有している。また、本体部５は、土台４の上面部４ａから立ち上がる複数（図中５本）の支柱６を有している。これら各支柱６の上端部のそれぞれは、円弧板状の上枠部材７に連結されている。この上枠部材７は、パーティション１の前面側にひさし状に張り出している。
【００１６】
なお、本実施例では、上記パーティション１は、全体として円弧状に形成されており、その内側を前面側Ｒ１とし、その外側を後面側Ｒ２とする（図３参照）。
【００１７】
上記パネル３は、図４に示すように、矩形枠状の枠体１１と、枠体１１内に取り付けられる立体状のファブリック１２と、を備えている。このファブリック１２は、図５に示すように、ウレタン繊維等の織物又は編物等からなる繊維成形体１３と、この繊維成形体１３の表面を覆う織物又は編物等からなる表皮材１４と、を備えている。この表皮材１４には、部分的にオパール加工が施されている。よって、表皮材１４には、オパール加工により他の部位より厚さの薄く繊維成形体１３を透視可能な薄肉部１４ａが形成されている。
【００１８】
なお、本実施例では、表裏面の模様が異なるパネル３を採用するものとする。また、上記オパール加工とは、オパール剤と呼ばれる薬品を使用し、特定の素材を溶解させるダメージ加工を意図する。
【００１９】
上記枠体１１の側面部には、図４に示すように、上下方向に所定間隔で複数（図中２つ）の円柱状の凸部１６（本発明に係る「係合部」として例示する。）が側方に突出して設けられている。また、上記支柱６において隣接するものの対向面には、上下方向に所定間隔で多数の溝部１７（本発明に係る「被係合部」として例示する。）が形成されている。これら各溝部１７は、図６に示すように、凸部１６が挿通可能な形状に形成されている。また、各溝部１７は、本体部５の立ち上がり方向と交差する前後方向Ｐに延びて支柱６の前後側に開口している。また、各溝部１７の延設方向の略中央部には、凸部１６が嵌り込み可能な下方に凹む凹部１８が設けられている。なお、上記多数の溝部１７の上下方向のピッチ間隔は、パネル３の高さ寸法の１／６（好ましくは１／８）以下の値に設定されている。
【００２０】
ここで、凸部１６を溝部１７に挿通して凹部１８に嵌り込ませることで、本体部５に対してパネル３が着脱可能に取り付けられる。さらに、凸部１６は、溝部１７に対して本体部５の前後方向Ｐの両側から挿通可能とされている。よって、パネル３は、本体部５の前後方向Ｐの両側から本体部５に着脱可能に取り付けられる。さらに、パネル３は、その表裏面を入れ替えて本体部５に着脱可能に取り付けられる。
【００２１】
なお、本実施例では、隣接する一対の支柱６の間には、図１に示すように、最大所定数（図中で３つ）のパネル３が取り付け可能とされるとともに、最大所定数のパネル３を取り付けた状態で前後方向Ｐに貫通する空間Ｓが形成されるものとする。
【００２２】
（２）パーティションの作用
次に、上記構成のパーティション１の作用について説明する。上記パーティション１は、例えば、図７（ａ）に示すように、全てのパネル３の表面が前面側を向くように取り付けられたパーティションとして使用される。この状態より、図７（ｂ）に示すように、本体部５から適当なパネル３を取り外して、その取付位置を変更したり表裏面を入れ替えたりして再度取り付ける。すると、例えば、図７（ｃ）に示すように、表面が前面側を向くパネル３と裏面が前面側を向くパネル３とが混在（すなわち、模様の異なるパネル３が混在）して取り付けられたパーティション１として使用される。なお、図７中において、パネルの表面を「Ａ」で示し、パネルの裏面を「Ｂ」で示すものとする。
【００２３】
また、上記パーティション１は、単一で使用してもよいし（図１参照）、複数のパーティション１を組み合わせて使用してもよい。例えば、図８（ａ）に示すように、複数（図中４つ）のパーティション１を全体として略波状となるように配置して使用してもよい。この場合、比較的大きな空間が２つに仕切られる。また、例えば、図８（ｂ）に示すように、複数（図中４つ）のパーティション１を全体として略Ｓ字状となるように配置して使用してもよい。この場合、囲まれたプライベートな空間が作られる。
【００２４】
（３）実施例の効果
以上より、本実施例のパーティション１によると、円弧状の土台４と、土台４から立ち上がる本体部５と、を備える。これにより、パーティション１を自立可能とすることができる。その結果、パーティション１の設置場所に制限がなく又は少なく、またパーティション１を容易に移動させて設置することができる。さらに、複数のパーティション１を円弧状の各土台４の端部が連結するように配置することで、必要に応じて様々なバリエーションで自由に空間を仕切ることができる。さらに、複数のパネル３のそれぞれには、凸部１６が備えられ、本体部５には、本体部５の立ち上がり方向と交差する前後方向Ｐから凸部１６が係合可能な溝部１７が備えられ、凸部１６が溝部１７に係合することで本体部５に対してパネル３が着脱可能に取り付けられる。これにより、パーティション１の前後方向Ｐの両側からパネル３を取り付けたり、取り外したりすることができる。よって、パネル３の着脱性が高められる。
【００２５】
また、本実施例では、凸部１６は、溝部１７に挿通可能であり、溝部１７の延設方向の略中央部には、凸部１６が嵌り込み可能な下方に凹む凹部１８が設けられている。これにより、比較的簡易な構造の凸部１６及び溝部１７により本体部５に対してパネル３を容易に着脱できる。さらに、パネル３の取付位置や表裏面を入れ替えて自由に取り付けることができる。よって、パーティション１の意匠性が高められる。
【００２６】
さらに、本実施例では、パネル３は、繊維成形体１３と、繊維成形体１３の表面を覆う表皮材１４と、を備え、表皮材１４には、部分的にオパール加工が施されている。これにより、オパール加工により表皮材１４に繊維成形体１３が透けて見える薄肉部１４ａを形成することができる。よって、パーティション１の意匠性が更に高められる。
【００２７】
尚、本発明においては、上記実施例に限られず、目的、用途に応じて本発明の範囲内で種々変更した実施例とすることができる。すなわち、上記実施例では、円弧状の土台４を例示したが、これに限定されず、パーティション１が自立可能である限り、例えば、略Ｕ字状、略Ｃ字状、略Ｌ字状、略Ｖ字状、略Ｗ字状、略Ｓ字状等の湾曲状の土台としてもよい。
【００２８】
また、上記実施例では、凸部１６を溝部１７に係合させることで本体部５に対してパネル３を着脱するようにしたが、これに限定されず、例えば、フック状の係合部を受け片状の被係合部に係合させることで本体部５に対してパネル３を着脱するようにしてもよい。
【００２９】
また、上記実施例では、パネル３側に凸部１６を設け、本体部５側に凸部１６が挿通する溝部１７を設けるようにしたが、これに限定されず、例えば、本体部５側に凸部１６を設け、パネル３側に凸部１６が挿通する溝部１７を設けるようにしてもよい。
【００３０】
また、上記実施例では、表裏面の模様の異なるパネル３を例示したが、これに限定されず、例えば、表裏面の模様の同じパネルを採用してもよい。
【００３１】
さらに、上記実施例において、上記土台４、支柱６及び上枠部材７の材質としては、例えば、木材、樹脂、金属等を挙げることができる。
【００３２】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３３】
本発明は上記で詳述した実施形態に限定されず、本発明の請求項に示した範囲で様々な変形または変更が可能である。
【産業上の利用可能性】
【００３４】
空間を仕切るパーティションに関する技術として広く利用される。
【符号の説明】
【００３５】
１；パーティション、３；パネル、４；土台、５；本体部、１３；繊維成形体、１４；表皮材、１６；凸部、１７；溝部、１８；凹部、Ｐ；前後方向。
【図１】
2015021234.tif 000003
【図２】
2015021234.tif 000004
【図３】
2015021234.tif 000005
【図４】
2015021234.tif 000006
【図５】
2015021234.tif 000007
【図６】
2015021234.tif 000008
【図７】
2015021234.tif 000009
【図８】
2015021234.tif 000010